(57)【要約】      （修正有）【課題】簡単に爪に取り付けることができ、また取り外して交換することもできるチャームを提供する。  【解決手段】爪の表面２に接着されるリングであって、リングの円形面３ａが爪の表面と略平行に接着されるリング３と、リングの円周３ｂの内、爪の湾曲により爪の表面との間にギャップＧを有する部分３ｃに取り付けられる丸カン４ｆと、丸カンに連結されたカニカン４ｂと、カニカンに連結された丸カンと、丸カンに連結された引き輪４ａと、引き輪に連結された羽５ａを具備し、アクセサリーとして、羽やビーズ、チェーン等種々のものが使用可能な取り外し式チャームとする。リング３は多角形の形状や、一部に切欠きを有する形状であってもよい。【選択図】図１
0003215039.tif 000002
【実用新案登録請求の範囲】
【請求項１】
爪の表面に接着されるリングであって、該リングの円形面が上記爪の表面と略平行に接着されるリングと、
該リングの円周の内、上記爪の湾曲により上記爪の表面との間にギャップを有する部分に取り付けられる留め具と、
該留め具に連結されたアクセサリーと、
を具備する、  
ことを特徴とする取り外し式チャーム。
【請求項２】
上記リングが多角形の環状部品である、ことを特徴とする請求項１に記載の取り外し式チャーム。
【請求項３】
上記リングは一部が欠けた環状部品である、ことを特徴とする請求項１に記載の取り外し式チャーム。
【請求項４】
上記留め具には丸カン、カニカン、引き輪が含まれ、上記アクセサリーには羽、ビーズ、チェーンが含まれることを特徴とする、請求項１〜３のいずれか１項に記載の取り外し式チャーム。
【考案の詳細な説明】
【技術分野】
【０００１】
本考案は、取り外し式チャームに関する。
【背景技術】
【０００２】
近年、女性にとって爪の化粧（ネイルケア）は必須のファッションのひとつとなっており、従来のマニキュアから発展したネイルアートも人気となっている。さらに、爪の表面的装飾だけでなく、爪に立体的な装飾を施すことも盛んになってきている。また、ピアスやイヤリングにおいても単純な構成の物だけでなく、様々な装飾が施されたものが提供されている。
【０００３】
これらの装飾に使用される装飾品（以降、チャームとも記す。）は、従来接着剤や留め具で爪やピアスやイヤリングに固定されるのが一般的であった。爪に取り付ける場合、「ネイルピアス」と称して爪先端に針またはドリルで穴を明け、環状部品をこの穴に通してこれにチャームを取り付けることも行われている。これらのチャームはそれ自体を簡単に取り外すことができないため、雨などの環境の変化に対応することが困難であり、一度限りのものとなっていた。したがって、他のチャームへの取り換えを手軽に行うことも困難であった。
【０００４】
特許文献１には、チャームに爪のカーブに合うクリップ状のフックを装着して爪に固定することにより、爪を傷つけることなく爪の装飾を行う爪用装飾品が開示されている。
【先行技術文献】
【特許文献】
【０００５】
【特許文献１】特開平１０−２６２７１７号公報
【考案の概要】
【考案が解決しようとする課題】
【０００６】
しかしながら、特許文献１の爪用装飾品では、針やドリルで爪に穴を空ける必要はなくなるが、クリップ状のフックを爪の湾曲に合わせて加工することが容易ではなく、またこのフックに取り付けられた装飾品を取り外して交換するということは想定されていない。
【０００７】
本考案は上記問題点に鑑み、爪に穴を空ける、爪の湾曲に合わせてフックを加工するといった工程を必要とせず、簡単に爪に取り付けることができ、また取り外して交換することもできるチャームを提供することを課題とする。また、ピアスやイヤリングについても取り付け取り外しが容易なチャームを提供することを課題とする。
【課題を解決するための手段】
【０００８】
上記課題を解決するために、請求項１の考案は、爪の表面に接着されるリングであって、リングの円形面が爪の表面と略平行に接着されるリングと、リングの円周の内、爪の湾曲により爪の表面との間にギャップを有する部分に取り付けられる留め具と、留め具に連結されたアクセサリーを具備することを特徴とする。
請求項２の考案は、上記リングが多角形の環状部品であることを特徴とする。必ずしも円形でなくても環状であればよい。
請求項３の考案は、上記リングは一部が欠けた環状部品であることを特徴とする。必ずしも全周が繋がっていなくてもよい。
請求項４の考案は請求項１〜３の考案において、留め具には丸カン、カニカン、引き輪が含まれ、アクセサリーには羽、ビーズ、チェーンが含まれることを特徴とする。
【考案の効果】
【０００９】
本考案により、簡単な構成で、爪の表面に、羽、ビーズ、チェーン等を使用して作製されたチャームを容易に取り付け、取り外すことができる、取り外し式チャームが提供される。
さらに、ピアスやイヤリングについても上記チャームを容易に取り付け、取り外すことができる、取り外し式チャームが提供される。
【図面の簡単な説明】
【００１０】
【図１】本考案の第１の実施形態を示す模式図である。
【図２】本考案に使用される部品の説明図であり、（ａ）は引き輪、（ｂ）はカニカン、（ｃ）は丸カン、（ｄ）はビーズ、（ｅ）はチェーンの模式図である。
【図３】本考案の別の使用形態を示す模式図である。
【考案を実施するための形態】
【００１１】
以下、本考案の実施形態について図を用いて説明する。まず本実施形態の構成について説明する。
【００１２】
図１に示すように、本実施形態のチャーム１は、爪の表面２に接着されるリング３であって、リング３の円形面３ａが爪の表面２と略平行に接着されるリング３と、リング３の円周３ｂの内、爪の湾曲により爪の表面２との間にギャップＧを有する部分３ｃに取り付けられる丸カン４ｆと、丸カン４ｆに連結されたカニカン４ｂと、カニカン４ｂに連結された丸カン４ｆと、丸カン４ｆに連結された引き輪４ａと、引き輪４ａに連結された羽５ａを具備する。
このように、丸カン４ｆ、カニカン４ｂ、引き輪４ａといった留め具を自由に組み合わせて取り付け、さらに、アクセサリーとして、羽５ａや、ビーズ５ｂ、チェーン５ｃ等種々のものを使用することが可能である。
【００１３】
リング３は必ずしも円形である必要はなく、多角形の環状部品等であってもよいし、Ｃ字形のように環の一部が欠けた形状であってもよい。爪の表面２に接着した状態で爪の表面２との間にギャップＧを有する部分３ｃが形成されればよい。
そのギャップ部分３ｃに、丸カン４ｆ、カニカン４ｂ、引き輪４ａ等の留め具を単独、又は複数組み合わせて取り付け、さらにアクセサリーとして、羽５ａや、ビーズ５ｂ、チェーン５ｃ等を取り付けたチャーム本体１ａが取り付けられる。
羽５ａ等のアクセサリーは、引き輪４ａ等の留め具の取り付け輪４ｃに接着剤その他の手段で取り付けられる。
【００１４】
次に、本実施形態の取り外し式チャーム１の取付け・取り外し方法について説明する。
まず、取り付け、取り外し方法について説明する。
取り付けの場合は図１、図２（ａ）〜（ｅ）に示す留め具及びアクセサリーにより組み立てられたチャーム本体１ａを、端部の丸カン４ｆの切れ目を開いてリング３のギャップ部３ｃで引っ掛けた後、丸カン４ｆの切れ目を閉じて円形に戻してチャーム本体１ａをリング３に取り付ける。これにより、チャーム本体１ａを爪の表面２に取り付けることができる。他の留め具を使用する場合も同様である。
【００１５】
取り外しの場合は、チャーム本体１ａ端部の丸カン４ｆの切れ目を開いてリング３の部分３ｃから外すことでチャーム本体１ａを爪の表面２から取り外す。
【００１６】
次に、チャーム本体１ａの別の使用形態について説明する。図３に示すように、チャーム本体１ａはピアス６ａまたはイヤリング６ｂの円周部６ｃに取り付けることも可能である。
図３の例ではイヤリング６ｂに、丸カン４ｆを介して引き輪４ａ及び羽５ａを組み合わせたチャーム本体１ａと、丸カン４ｆにチェーン５ｃを取り付けたチャーム本体１ａの２つのチャーム本体１ａが取り付けられている。
【００１７】
本願考案の取り外し式チャームは、爪に穴を明けたり、取り付けのための部品を調整するといった手間のかかる準備を行わなくても簡単にチャームを爪の表面に取り付けることができる構造を提供するものである。チャームの取付け用の留め具としては丸カン、カニカン、引き輪、といった一般によく使用されている部品を用いることができる。これを爪の表面に取り付けるためには爪に穴を空けるか、爪の表面に引き輪本体を引っ掛けるための環状部品（本願考案のリング）を取り付ける必要があり、従来から種々の方式があった。
【００１８】
この環状部品を爪の表面に対して垂直方向に取り付けるのではデザイン的にも取り付け強度の面からも好ましくない。また、環状部品を爪の表面に対して平行に、すなわち上から見て円形に見える方向に接着剤で貼り付けてしまうと引き輪を引っ掛けることができなくなる、と考えられる。しかし、実際には爪の表面は凸面であって湾曲しているため、リングを上記方向で貼り付けてもリングの左右の円周部と爪の表面との間にはギャップが生じ、引き輪はそのギャップ部でリングに取り付けることが可能なのである。本取り外し式チャームはこの点に着目して構成され、簡単な構造でありながら取り付け、取り外しが容易という従来にない効果を奏する取り外し式チャームを実現したものである。
【符号の説明】
【００１９】
１  取り外し式チャーム
１ａ  チャーム本体
２  爪の表面
３  リング
３ａ  円形面
３ｂ  円周  
３ｃ  ギャップ部
４ａ  引き輪
４ｂ  カニカン
４ｃ  取り付け輪
４ｄ  操作突起部
４ｅ  摺動ピン
４ｆ  丸カン
５ａ  羽
５ｂ  ビーズ
５ｃ  チェーン
６ａ  ピアス
６ｂ  イヤリング
６ｃ  円周部
【図１】
0003215039.tif 000003
【図２】
0003215039.tif 000004
【図３】
0003215039.tif 000005